(57)【要約】  照明光学系及びリングスリット結像手段の温度上昇をより効果的に低減又は防止できるようにする。  照明光学系及びリングスリット結像手段は第１の筐体に収納し、光源は別の筐体に収納しているので、該光源の発熱に伴う照明光学系等の温度上昇を低減できる。また、前記第１の筐体の一部は、前記第１の筐体の側方突出するように形成しておいて、その部分の下面には空気取り入れ口を形成し、その部分の上面には空気取り出し口を形成すると共にファンを配置するので、前記光源を効果的に冷却することができ、該光源の発熱に伴う照明光学系等の温度上昇をより効果的に低減又は防止することができる。
2012026250.tif 000002
【特許請求の範囲】
【請求項１】
被検眼の観察の際に使用する照明用光源と、被検眼の撮影の際に使用する撮影用光源と、これらの光源からの光を被検眼に導く照明光学系と、前記照明用光源からの光を被検眼にリング状に結像させるためのリングスリット結像手段と、を備えて被検眼の観察及び／又は撮影を行うように構成された眼科撮影装置において、
前記照明光学系及び前記リングスリット結像手段の光軸が略鉛直な仮想面に沿うように該照明光学系及び該リングスリット結像手段を配置し、
前記照明用光源及び前記撮影用光源の光軸が、前記照明光学系及び前記リングスリット結像手段の上方にて略水平であると共に前記略鉛直な仮想面に対して鋭角を為すように該照明用光源及び該撮影用光源を配置し、
前記照明用光源及び前記撮影用光源と前記照明光学系及び前記リングスリット結像手段との間には、前記光源から出射された光の方向を下向きに変更するための光路変更部材を配置し、
前記照明光学系及び前記リングスリット結像手段は第１の筐体内に収納し、
前記照明用光源及び前記撮影用光源は、少なくとも一部が前記第１の筐体から側方に突出するように形成された第２の筐体内に収納し、
該第２の筐体における該突出した部分の下面に空気取り入れ口を形成すると共に、該突出した部分の上面には空気取り出し口を形成し、
前記空気取り入れ口の下方又は前記空気取り出し口の上方には、前記第２の筐体内に冷却用の空気を供給するためのファンである第１のファンを配置した、
ことを特徴とする眼科撮影装置。
【請求項２】
前記第１の筐体と前記第２の筐体との間には、略上下方向に貫通する隙間部が形成され、
前記空気取り入れ口の下方であって前記隙間部の下端開口の近傍、及び前記空気取り出し口の上方であって前記隙間部の上端開口の近傍の少なくとも一方に配置された前記第１のファンによって該隙間部に空気が供給されるように構成された、
ことを特徴とする請求項１に記載の眼科撮影装置。
【請求項３】
前記第１の筐体及び前記第２の筐体を覆うように外部カバーが設けられ、
該外部カバーは、前記第１の筐体の上方に形成された第１開口部と、前記第２の筐体の上方に形成された第２開口部と、を有し、
前記空気取り入れ口の下方であって前記隙間部の下端開口の近傍には、該隙間部及び該空気取り入れ口に空気を供給するための前記第１のファンが配置され、
前記第１の筐体と前記第１開口部との間には、前記第１のファンにより前記隙間部に供給された空気を吸い込んで前記第１開口部の方に吹き出すための第２のファンが配置された、
ことを特徴とする請求項２に記載の眼科撮影装置。
【請求項４】
前記空気取り出し口と前記第２開口部との間には、前記第１のファンにより前記第２の筐体内に供給されて前記空気取り出し口から吹き出された空気を前記第２開口部に導くためのダクト部材が配置され、
該ダクト部材は、前記照明用光源及び前記撮影用光源からの光であって前記空気取り出し口を通過した光の直進を遮るように屈曲して形成され、かつ、該ダクト部材の表面は、該光の反射率が低減されるような濃い色である、
ことを特徴とする請求項３に記載の眼科撮影装置。
【請求項５】
前記空気取り入れ口と前記空気取り出し口との間に前記照明用光源及び前記撮影用光源の少なくとも一部が配置されるように構成した、
ことを特徴とする請求項１乃至４のいずれか１項に記載の眼科撮影装置。
【請求項６】
前記空気取り出し口の上方に配置されてなる前記第１のファンは、前記第２の筐体内の空気を前記空気取り出し口から吸い出して該ファンの側方に吐き出すシロッコファンである、
ことを特徴とする請求項１に記載の眼科撮影装置。
【請求項７】
前記第１の筐体は、埃が侵入しないように略気密状態に構成し、
該第１の筐体には、該略気密状態を維持すると共に前記光源からの光の侵入を許容するように透光部材を配置した、
ことを特徴とする請求項１乃至６のいずれか１項に記載の眼科撮影装置。
【請求項８】
前記第１の筐体における前記リングスリット結像手段を交換可能に複数設け、
前記第２の筐体には赤外カットフィルタを交換可能に設け、
前記リングスリット結像手段の交換と前記赤外カットフィルタの交換とを連動して行う交換手段を設けた、
ことを特徴とする請求項１乃至７のいずれか１項に記載の眼科撮影装置。
【発明の詳細な説明】
【技術分野】
【０００１】
本発明は、被検眼の観察及び／又は撮影を行うように構成された眼科撮影装置に関する。
【背景技術】
【０００２】
従来、被検眼の観察及び／又は撮影を行うように構成された眼科撮影装置については種々の構造のものが提案されている（例えば、特許文献１参照。）。【０００３】
図６は、眼科撮影装置の従来の内部構造の一例を示す概略側面図であり、符号２００は、被検眼Ｅの観察の際に使用する照明用光源（例えば、ハロゲンランプ）を示し、符号２０１は、被検眼Ｅの撮影の際に使用する撮影用光源（例えば、キセノンランプ）を示し、符号２０２は、これらの光源２００，２０１からの光を被検眼Ｅに導く照明光学系を示し、符号２０３は、被検眼Ｅを撮影するための撮影光学系を示す。
【先行技術文献】
【特許文献】
【０００４】
【特許文献１】特開平１０−２７２１０５号公報
【発明の概要】
【発明が解決しようとする課題】
【０００５】
ところで、図示の装置の場合、照明光学系２０２や撮影光学系２０３が照明用光源２００や撮影用光源２０１の下方に配置されているため、照明用光源２００や撮影用光源２０１の上方に配置されている場合に比べて各光学系２０２，２０３の温度上昇を抑えることができるが、より一層の熱対策が求められていた。【０００６】
そのような熱対策の一つとして前記光源２００，２０１に装置外部の空気を多量に吹き付けて冷却する方法もあるが、装置外部から多量に空気を取り込むと埃が侵入して前記光学系２０２，２０３に付着してしまい、被検眼の撮影等に悪影響を与えてしまうとおそれもあった。【０００７】
本発明は、上述のような問題を解消できる眼科撮影装置を提供することを目的とするものである。
【課題を解決するための手段】
【０００８】
本発明は、被検眼の観察の際に使用する照明用光源と、被検眼の撮影の際に使用する撮影用光源と、これらの光源からの光を被検眼に導く照明光学系と、前記照明用光源からの光を被検眼にリング状に結像させるためのリングスリット結像手段と、を備えて被検眼の観察及び／又は撮影を行うように構成された眼科撮影装置において、
前記照明光学系及び前記リングスリット結像手段の光軸が略鉛直な仮想面に沿うように該照明光学系及び該リングスリット結像手段を配置し、
前記照明用光源及び前記撮影用光源の光軸が、前記照明光学系及び前記リングスリット結像手段の上方にて略水平であると共に前記略鉛直な仮想面に対して鋭角を為すように該照明用光源及び該撮影用光源を配置し、
前記照明用光源及び前記撮影用光源と前記照明光学系及び前記リングスリット結像手段との間には、前記光源から出射された光の方向を下向きに変更するための光路変更部材を配置し、
前記照明光学系及び前記リングスリット結像手段は第１の筐体内に収納し、
前記照明用光源及び前記撮影用光源は、少なくとも一部が前記第１の筐体から側方に突出するように形成された第２の筐体内に収納し、
該第２の筐体における該突出した部分の下面に空気取り入れ口を形成すると共に、該突出した部分の上面には空気取り出し口を形成し、
前記空気取り入れ口の下方又は前記空気取り出し口の上方には、前記第２の筐体内に冷却用の空気を供給するためのファンである第１のファンを配置したことを特徴とする。【０００９】
本発明は、前記第１の筐体と前記第２の筐体との間には、略上下方向に貫通する隙間部が形成され、
前記空気取り入れ口の下方であって前記隙間部の下端開口の近傍、及び前記空気取り出し口の上方であって前記隙間部の上端開口の近傍の少なくとも一方に配置された前記第１のファンによって該隙間部に空気が供給されるように構成されたことを特徴とする。【００１０】
本発明は、前記第１の筐体及び前記第２の筐体を覆うように外部カバーが設けられ、
該外部カバーは、前記第１の筐体の上方に形成された第１開口部と、前記第２の筐体の上方に形成された第２開口部と、を有し、
前記空気取り入れ口の下方であって前記隙間部の下端開口の近傍には、該隙間部及び該空気取り入れ口に空気を供給するための前記第１のファンが配置され、
前記第１の筐体と前記第１開口部との間には、前記第１のファンにより前記隙間部に供給された空気を吸い込んで前記第１開口部の方に吹き出すための第２のファンが配置されたことを特徴とする。【００１１】
本発明は、前記空気取り出し口と前記第２開口部との間には、前記第１のファンにより前記第２の筐体内に供給されて前記空気取り出し口から吹き出された空気を前記第２開口部に導くためのダクト部材が配置され、
該ダクト部材は、前記照明用光源及び前記撮影用光源からの光であって前記空気取り出し口を通過した光の直進を遮るように屈曲して形成され、かつ、該ダクト部材の表面は、該光の反射率が低減されるような濃い色であることを特徴とする。【００１２】
本発明は、前記空気取り入れ口と前記空気取り出し口との間に前記照明用光源及び前記撮影用光源の少なくとも一部が配置されるように構成したことを特徴とする。【００１３】
本発明は、前記空気取り出し口の上方に配置されてなる前記第１のファンは、前記第２の筐体内の空気を前記空気取り出し口から吸い出して該ファンの側方に吐き出すシロッコファンであることを特徴とする。【００１４】
本発明は、前記第１の筐体は、埃が侵入しないように略気密状態に構成し、
該第１の筐体には、該略気密状態を維持すると共に前記光源からの光の侵入を許容するように透光部材を配置したことを特徴とする。【００１５】
本発明は、前記第１の筐体における前記リングスリット結像手段を交換可能に複数設け、
前記第２の筐体には赤外カットフィルタを交換可能に設け、
前記リングスリット結像手段の交換と前記赤外カットフィルタの交換とを連動して行う交換手段を設けたことを特徴とする。
【発明の効果】
【００１６】
本発明によれば、前記光源を収納する第２の筐体の一部が前記第１の筐体の側方に突出するように形成されると共に、空気取り入れ口はその下面に形成され、空気取り出し口はその上面に形成されているので、前記第２の筐体内で下から上への空気の流れを生じさせることができ、該筐体内で生じた熱を筐体外部に効果的に放出して前記光源を冷却することができる。その結果、該光源の発熱に伴う前記照明光学系及び前記リングスリット結像手段の温度上昇をより効果的に低減又は防止することができる。また、前記照明光学系及び前記リングスリット結像手段は、冷却用空気を取り入れる第２の筐体とは別の筐体に収納されているため、冷却用空気と共に侵入した埃が付着してしまうことは無く、被検眼の撮影等への悪影響を低減又は防止することができる。【００１７】
本発明によれば、前記空気取り入れ口から前記空気取り出し口に流れる空気にそれらの光源が直接曝されることとなるので、それらの光源を効果的に冷却することができる【００１８】
本発明によれば、シロッコファン自体が前記空気取り出し口の蓋のような役割を果たすこととなるので、該空気取り出し口から筐体内部への埃の侵入をより一層低減することができる。【００１９】
本発明によれば、被検眼の撮影等を効率良く行うことができる。
【図面の簡単な説明】
【００２０】
【図１】図１(a) は、本発明に係る眼科撮影装置の内部構造の一例を示す垂直断面図（図２のＪ１−Ｊ１断面図）であり、同図(b) は、第２の筐体の内部構造の一例を示す垂直断面図（図２のＪ２−Ｊ２断面図）である。
【図２】図２は、本発明に係る眼科撮影装置の内部構造の一例を示す水平断面図である。
【図３】図３は、図２のＧ−Ｇ端面図である。
【図４】図４は、本発明に係る眼科撮影装置の外部構造の一例を示す側面図である。
【図５】図５は、本発明に係る眼科撮影装置の外部構造の一例を示す平面図である。
【図６】図６は、眼科撮影装置の従来の内部構造の一例を示す概略側面図である。
【図７】図７は、本発明に係る眼科撮影装置の外部構造の他の例を示す平面図である。
【図８】図８は、図７のＰ−Ｐ断面図である。
【発明を実施するための形態】
【００２１】
以下、図１乃至図５、図７及び図８に沿って、本発明の実施の形態について説明する。
【００２２】
本発明に係る眼科撮影装置は、被検眼の観察及び／又は撮影を行うためのものであって、図４に符号１で例示するように、被検者が顎を載せるための顎台１００や、被検眼Ｅに対向するように配置される対物レンズ４１や、種々の画像や情報を表示するモニター１０１や、装置本体１０２等を備えている。
【００２３】
そして、該装置本体１０２には、図１(a)
(b) に示すように、
・  被検眼Ｅの観察の際に使用する照明用光源２や、
・  被検眼Ｅの撮影の際に使用する撮影用光源（ストロボ）３や、
・  これらの光源２，３からの光を被検眼Ｅに導く照明光学系（レンズやミラー等の光学部材）４や、
・  前記照明用光源２からの光を被検眼Ｅにリング状に結像させるためのリングスリット結像手段５Ａ，５Ｂや、
・  被検眼Ｅの撮影を行うための撮影光学系１０やカラー撮影用ＣＣＤ１１
等が配置されている。さらに、該装置本体１０２には、絞り５０やフォーカスレンズ５１やリターンミラー５２やダイクロック・ミラー５３や赤外ＣＣＤ５４などが配置されている。
【００２４】
また、前記光源２，３から前記リングスリット結像手段５Ａ，５Ｂ及び前記照明光学系４には下向きに光が入射されるように構成されているので（詳細は後述する）、該照明光学系４は、穴あきミラー等の部材４０によって光（光の方向）を略水平方向に変更して被検眼Ｅに導くようになっている（符号Ｌ１０，Ｌ１１参照）。したがって、該照明光学系４及び該リングスリット結像手段５Ａ，５Ｂの光軸Ｌ１０，Ｌ１１は略鉛直な仮想面（図１(a) の紙面に相当する面であって、図２及び図５では符号Ａで示す面）に沿うように配置されることとなる。さらに、該リングスリット結像手段５Ａ，５Ｂは交換可能に複数設けられており（詳細は後述する）、前記照明光学系４と共に第１の筐体Ｃ１内に収納されている。またさらに、前記照明光学系４には、対物レンズでの反射光防止用の黒点を有する黒点板４２が設けられている。
【００２５】
一方、前記照明用光源２及び前記撮影用光源３は、その光軸Ｌ２が、
・  前記照明光学系４及び前記リングスリット結像手段５Ａ，５Ｂの上方にて（“前記照明光学系４及び前記リングスリット結像手段５Ａ，５Ｂよりも上の位置にて”の意）略水平であると共に、
・  図２に示すように、前記略鉛直な仮想面Ａに対して鋭角を為す（つまり、前記照明用光源２及び前記撮影用光源３の光軸Ｌ２と該仮想面Ａとが為す角度αが鋭角である）
ように配置されている。そして、前記照明用光源２及び前記撮影用光源３と前記照明光学系４及び前記リングスリット結像手段５Ａ，５Ｂとの間（つまり、それらの光軸Ｌ１０と光軸Ｌ２とが交わる部分）には、前記光源２，３から出射された光の方向を下向きに変更するための光路変更部材６（ミラーやプリズム等）が配置されていて、前記照明用光源２及び前記撮影用光源３から略水平方向に出射される光が前記リングスリット結像手段５Ａ，５Ｂ等へ入射されるようになっている。また、前記光源２，３と前記光路変更部材６との間には赤外カットフィルタ７及び可視カットフィルタ８が交換可能な状態で配置されており、それらの光源２，３等は第２の筐体Ｃ２内に収納されている。以下、説明の便宜上、前記第１の筐体Ｃ１を「下側筐体」と称することとし、前記第２の筐体Ｃ２を「上側筐体」と称することとする。
【００２６】
さらに、該上側筐体Ｃ２の一部（前記照明用光源２や前記撮影用光源３等を収納する部分）Ｃ２０は、図２に示すように、前記下側筐体Ｃ１から側方（ｘ方向）に突出するように形成されており、図３や図８に示すように、該突出した部分Ｃ２０の下面Ｃ２１には空気取り入れ口２１が形成され、該突出した部分Ｃ２０の上面Ｃ２２には空気取り出し口２２が形成されている。そして、図３に示す例では、前記空気取り出し口２２を覆うように該空気取り出し口２２の上方にファン（第１のファン）２３が配置されていて、前記上側筐体Ｃ２内の空気を吸い出して前記照明用光源２及び前記撮影用光源３に冷却用の空気を供給できるように構成されている（矢印Ｄ１，Ｄ２参照）。また、図８に示す例では、前記空気取り入れ口２１の下方に第１のファン２４が配置されていて、該上側筐体Ｃ２内に冷却用の空気を供給するように構成されている（詳細は後述する）。この場合、前記空気取り入れ口２１と前記空気取り出し口２２との間に前記照明用光源２及び前記撮影用光源３の少なくとも一部が配置されるように構成すると良い。また、前記空気取り出し口２２の上方に配置されてなる前記ファン２３は、前記上側筐体内の空気を前記空気取り出し口２２から吸い出して該ファン２３の側方（ｘ方向）に吐き出すシロッコファンにすると良い。なお、該下側筐体Ｃ１は、埃が侵入しないように略気密状態に構成しておくと良く、該下側筐体Ｃ１には、該略気密状態を維持すると共に前記光源からの光の侵入を許容するように透光部材（例えば、レンズやガラス板）９を配置しておくと良い。
【００２７】
本発明によれば、前記光源２，３を収納する上側筐体Ｃ２の一部Ｃ２０が前記下側筐体Ｃ１の側方ｘに突出するように形成されると共に、空気取り入れ口２１はその下面Ｃ２１に形成され、空気取り出し口２２はその上面Ｃ２２に形成されているので、前記上側筐体Ｃ２内で下から上への空気の流れを生じさせることができ、該筐体Ｃ２内で生じた熱を筐体外部に効果的に放出して前記光源２，３を冷却することができる。その結果、該光源２，３の発熱に伴う前記照明光学系４及び前記リングスリット結像手段５Ａ，５Ｂの温度上昇をより効果的に低減又は防止することができる。また、これらの光源２，３は前記照明光学系４及び前記リングスリット結像手段５Ａ，５Ｂの下方ではなく上方に配置されており、さらに、該照明光学系４等とは別の筐体Ｃ２に収納されているため、そのことによっても、該照明光学系４等の温度上昇を抑えることができる。特に、前記光源２，３が前記空気取り入れ口２１と前記空気取り出し口２２との間に配置されるようにした場合には、前記空気取り入れ口２１から前記空気取り出し口２２に流れる空気にそれらの光源２，３が直接曝されることとなるので、それらの光源２，３を効果的に冷却することができる。
【００２８】
ところで、前記リングスリット結像手段５Ａ，５Ｂ及び該結像手段５Ａ，５Ｂから先の光学系（対物レンズ４１までの光路上に配置された光学系）に埃が付着すると光が乱反射してしまい、黒点の結像状態が最良にならないなどの種々の問題が発生してしまうおそれがあるが、本発明によれば、前記照明光学系４及び前記リングスリット結像手段５Ａ，５Ｂは、冷却用空気を取り入れる上側筐体Ｃ２とは別の筐体Ｃ１に収納されているため、冷却用空気と共に侵入した埃が付着してしまうことは無く、被検眼の撮影等への悪影響を低減又は防止することができる。したがって、前記照明光学系４及び前記リングスリット結像手段５Ａ，５Ｂへの埃の付着に配慮する必要はなく前記上側筐体Ｃ２に多量の空気を取り込むことができ、前記光源２，３を効果的に冷却することができる。
【００２９】
また、図３の構成によれば、前記下側筐体Ｃ１においてだけでなく前記上側筐体Ｃ２においても埃の侵入を低減できる。すなわち、本発明によれば、該上側筐体Ｃ２の上面Ｃ２２（正確には、前記突出した部分Ｃ２０の上面Ｃ２２）には空気取り出し口２２が形成されているものの該空気取り出し口２２を覆うようにファン２３が配置されており、他方の空気取り入れ口２１は該突出した部分Ｃ２０の下面Ｃ２１に形成されているので、これらの開口２１，２２から筐体Ｃ２内への埃の侵入を低減できる。なお、前記ファン２３を上述のようにシロッコファンにした場合には、シロッコファン自体が前記空気取り出し口２２の蓋のような役割を果たすこととなるので、該空気取り出し口２２から筐体内部への埃の侵入をより一層低減することができる。
【００３０】
一方、本発明によれば、前記照明用光源２及び前記撮影用光源３の光軸Ｌ２が前記略鉛直な仮想面Ａに対して鋭角αを為すように形成されているので、該仮想面Ａからの前記照明用光源２及び前記撮影用光源３の突出量（図２に符号Ｈで示す寸法）を小さくでき、装置のコンパクト化を図ることができる。なお、前記光軸Ｌ２が前記略鉛直な仮想面Ａに対して鋭角αを為すように形成されているので、光軸Ｌ２から光軸Ｌ１に進む光の光路長は該光軸Ｌ２の右と左（或いは上と下）とでは異なるが、その影響（光路長の違いの影響）を最も受けやすい前記リングスリット結像手段５Ａ，５Ｂは前記光軸Ｌ２上には配置されていないので問題は生じず、被検眼Ｅの瞳上で歪みの無いリングスリット像を形成することができる。
【００３１】
ところで、上述の説明では下側筐体Ｃ１と上側筐体Ｃ２とは上下に密着させているが、上下に離間させたものを本発明の範囲から除外する趣旨ではない。また、前記リングスリット結像手段５Ａ，５Ｂの交換と前記赤外カットフィルタ７の交換とを連動して行う交換手段（不図示）を設けておくと良い。そのようにした場合には、散瞳撮影と無散瞳撮影の切り換えがスムーズにでき、被検眼の撮影等を効率良く行うことができる。さらに、前記上側筐体Ｃ２及び前記下側筐体Ｃ１を覆うように外部カバー１０３を取付けるようにしても良い。なお、本明細書においては「上側筐体」及び「下側筐体」という文言を使用したが、上側筐体の全体が下側筐体の上方に配置されていることを限定する趣旨ではなく、上側筐体の少なくとも一部が下側筐体の上方に配置されていれば足りる。
【００３２】
一方、本発明に係る眼科撮影装置を図８に示すような構成にしても良い。以下、その構成について説明する。
【００３３】
図８に示すように、下側筐体Ｃ１と上側筐体Ｃ２との間には、略上下方向に貫通する隙間部（例えば、３ｍｍ程度の隙間部）Ｂを形成しておいて、前記空気取り入れ口２１の下方であって前記隙間部Ｂの下端開口の近傍に第１のファン２４を配置し、該ファン２４によって該隙間部Ｂに空気が供給されるように構成すると良い（矢印Ｋ１１，Ｋ２１参照）。そのようにした場合には、該上側筐体Ｃ２内の光源２，３の熱が該下側筐体Ｃ１に伝わりにくくなり、該下側筐体Ｃ１内の照明光学系４等の温度上昇を低減することができる。なお、この第１のファン２４を、前記空気取り出し口２２の上方であって前記隙間部Ｂの上端開口の近傍に配置して、該第１のファンによって該隙間部Ｂの空気をその上端開口から吸い出すことにより該隙間部Ｂの下端開口から新たな空気が供給されるようにしても良い。また、この第１のファンを、前記空気取り出し口２２の上方であって前記隙間部Ｂの上端開口の近傍、及び前記空気取り入れ口２１の下方であって前記隙間部Ｂの下端開口の近傍にそれぞれ配置して、前記隙間部Ｂに空気を供給するようにしても良い。
【００３４】
さらに、前記下側筐体Ｃ１及び前記上側筐体Ｃ２を覆うように外部カバー３０３を設け、該外部カバー３０３には、
・  前記下側筐体Ｃ１の上方に形成された第１開口部３０３ａ（図７参照）と、
・  前記上側筐体Ｃ２の上方に形成された第２開口部３０３ｂ（図７参照）と、
を設けると良い。そして、図８に示すように、前記空気取り入れ口２１の下方であって前記隙間部Ｂの下端開口の近傍に第１のファン２４を配置し、前記下側筐体Ｃ１と前記第１開口部３０３ａとの間には第２のファン２５を配置して、前記第１のファン２４により前記隙間部Ｂに供給された空気を前記第２のファン２５が吸い込んで前記第１開口部３０３ａの方に吹き出すように構成すると良い（矢印Ｋ１１，Ｋ２１，Ｋ３１参照）。またさらに、前記空気取り出し口２２と前記第２開口部３０３ｂとの間には、前記第１のファン２４により前記上側筐体Ｃ２内に供給されて前記空気取り出し口２２から吹き出された空気（矢印Ｋ１２，Ｋ２２参照）を前記第２開口部３０３ｂに導くためのダクト部材（つまり、前記空気取り出し口２２と前記第２開口部３０３ｂとを連結するように空気通路を形成する部材）２６を配置すると良い。このダクト部材２６は、前記照明用光源２及び前記撮影用光源３からの光であって前記空気取り出し口２２を通過した光の直進を遮るように（略水平方向に）屈曲して形成しておくと良く、該ダクト部材２６の表面は、該光の反射率が低減されるような濃い色（好ましくは黒色）にしておくと良い。該ダクト部材２６の表面が濃い色にされていれば足りるので、
・  ダクト部材２６自体の材料の色が濃い色であって、その色がそのまま露出されるようにしても、
・  ダクト部材２６自体の材料の色が濃い色以外の色であって、表面に濃い色の塗装が施されるようにしても、
どちらでも良い。このようなダクト部材２６を配置した場合には、前記上側筐体Ｃ２内の熱を効果的に放出できると共に、光源２，３からの光が装置外部に漏れ出るのを低減することができる。
【符号の説明】
【００３５】
１            眼科撮影装置
２            照明用光源
３            撮影用光源
４            照明光学系
５Ａ，５Ｂ      リングスリット結像手段
６            光路変更部材
７            赤外カットフィルタ
８            可視カットフィルタ
９            透光部材
２１          空気取り入れ口
２２          空気取り出し口
２３          ファン（第１のファン）
２４          第１のファン
２５          第２のファン
１０３        外部カバー
Ａ            略鉛直な仮想面
Ｃ１            第１の筐体（下側筐体）
Ｃ２            第２の筐体（上側筐体）
Ｃ２１          下面
Ｃ２２          上面
Ｅ            被検眼
Ｌ１０，Ｌ１１            光軸
Ｌ２            光軸
【図１】
2012026250.tif 000003
【図２】
2012026250.tif 000004
【図３】
2012026250.tif 000005
【図４】
2012026250.tif 000006
【図５】
2012026250.tif 000007
【図６】
2012026250.tif 000008
【図７】
2012026250.tif 000009
【図８】
2012026250.tif 000010
【国際調査報告】
2012026250.tif 000011
2012026250.tif 000012
2012026250.tif 000013
2012026250.tif 000014